(57)【要約】【課題】  記録データを処理する基板を備えた記録装置において、簡単且つ確実に基板を封印することができる封印用ねじ、記録装置、及び、記録装置の封印方法を提供する。【解決手段】  ベースフレーム２４の上に記録機構部を設けた構成を有するサーマルプリンタ１００において、第２の基板の非接続側端部をインタフェース基板カバー３０により支持し、このインタフェース基板カバー３０を封印ねじ３２により底板２９に固定する構成を有する。封印ねじ３２は、互いに異なる方向に貫通し、且つ交差しない、ねじの軸部を径方向に貫通する複数のワイヤ通し孔を備え、いずれか一のワイヤ通し孔にワイヤ３３を挿通し、ワイヤ３３の両端部を封印具３４により封印した。【選択図】      図５
2007024291.tif 000002
【特許請求の範囲】
【請求項１】
ねじの軸部を径方向に貫通する複数のワイヤ通し孔を備え、これら複数のワイヤ通し孔が異なる方向に貫通し、且つ交差しないことを特徴とする封印用ねじ。
【請求項２】
記録機構部が載置されたベースフレームと、このベースフレームに略垂直に立設された第１の基板と、この第１の基板のスロットに差込接続された第２の基板とを備え、第２の基板の非接続側端部を基板支持部により支持し、この基板支持部をワイヤ封印用ねじにより固定部に固定すると共に、このワイヤ封印用ねじが、互いに異なる方向に貫通し、且つ交差しない、ねじの軸部を径方向に貫通する複数のワイヤ通し孔を備え、いずれか一のワイヤ通し孔と他部位に形成した貫通孔にワイヤを挿通し、このワイヤの両端部を封印具により封印したことを特徴とする記録装置。
【請求項３】
前記他部位に形成した貫通孔が、別のワイヤ封印用ねじのワイヤ通し孔であることを特徴とする請求項２記載の記録装置。
【請求項４】
記録機構部が載置されたベースフレームと、このベースフレームに略垂直に立設された第１の基板と、この第１の基板のスロットに差込接続された第２の基板とを備え、第２の基板の非接続側端部を基板支持部により支持し、この基板支持部をワイヤ封印用ねじにより固定部に固定すると共に、このワイヤ封印用ねじは、ねじの軸部を径方向に貫通するワイヤ通し孔を備え、このねじの頭部を覆うようにキャップを被せ、このキャップの貫通孔と前記ねじのワイヤ通し孔とを整合し挿通させたワイヤの両端を封印具により封印したことを特徴とする記録装置。
【請求項５】
記録機構部が載置されたベースフレームと、このベースフレームに略垂直に立設された第１の基板と、この第１の基板のスロットに差込接続された第２の基板とを備え、第２の基板の非接続側端部を基板支持部により支持し、この基板支持部を封印手段により固定部に固定すると共に、この封印手段は、前記基板支持部をねじ止めするワイヤ封印用ねじと、このワイヤ封印用ねじにより前記基板支持部と共に共締めされる台座と、前記台座の内側に嵌合するキャップとを備え、前記台座及び前記キャップに、互いに連通するワイヤ通し孔を形成し、このワイヤ通し孔を挿通させたワイヤの両端を封印具により封印したことを特徴とする記録装置。
【請求項６】
記録機構部が載置されたベースフレームと、このベースフレームに略垂直に立設された第１の基板と、この第１の基板のスロットに差込接続された第２の基板とを備え、第２の基板の非接続側端部を基板支持部により支持し、この基板支持部を前記第２の基板を引抜不能に固定部に固定し、この基板支持部を封印手段によって離脱不能に封印することを特徴とする記録装置の封印方法。
【発明の詳細な説明】
【技術分野】
【０００１】
本発明は、記録するデータの処理を行う基板を備えた記録装置を封印する封印用ねじ、この封印用ねじにより封印される記録装置、及び、記録装置における封印方法に関する。
【背景技術】
【０００２】
従来、紙等の記録媒体にデータを記録する記録装置は、記録するデータの各種処理を行う様々な回路が実装された基板を備えている。中でも、会計情報を処理するシステム（ＰＯＳシステム等）において使用される記録装置には、記録した会計情報を記憶するためのメモリ等を実装した基板を備えるものがあった（例えば、特許文献１参照）。
【特許文献１】特開平５−１２０５６７号公報
【発明の開示】
【発明が解決しようとする課題】
【０００３】
ところで、上述した記録装置においては、会計情報を確実に保存させるために、メモリ等を実装した基板の取り外し・交換ができないよう封印を施す場合がある。しかしながら、確実に封印を施すためには煩雑な作業を行わなくてはならず、より簡単に、且つ確実に封印を施す方法が求められていた。
【０００４】
本発明は、上述した事情に鑑みてなされたものであり、記録するデータの処理を行う基板を備えた記録装置において、簡単且つ確実に封印を施すことができる封印用ねじ、記録装置、及び、記録装置の封印方法を提供することを目的とする。
【課題を解決するための手段】
【０００５】
上記課題を解決するため、本発明は、ねじの軸部を径方向に貫通する複数のワイヤ通し孔を備え、これら複数のワイヤ通し孔が異なる方向に貫通し、且つ交差しないことを特徴としている。
この構成によれば、封印対象の部材をねじ止めしてワイヤ等によりねじを係止して封印を施す場合に、ねじ締め時における封印用ねじの回転角度に関わらず、ワイヤ通し孔がワイヤを通しやすい位置に開口するので、簡単な作業によりワイヤを通して確実に封印することができる。
【０００６】
本発明は、記録機構部が載置されたベースフレームと、このベースフレームに略垂直に立設された第１の基板と、この第１の基板のスロットに差込接続された第２の基板とを備え、第２の基板の非接続側端部を基板支持部により支持し、この基板支持部をワイヤ封印用ねじにより固定部に固定すると共に、このワイヤ封印用ねじが、互いに異なる方向に貫通し、且つ交差しない、ねじの軸部を径方向に貫通する複数のワイヤ通し孔を備え、いずれか一のワイヤ通し孔と他部位に形成した貫通孔にワイヤを挿通し、このワイヤの両端部を封印具により封印したことを特徴としている。
この構成によれば、記録機構部が載置されたベースフレームと、このベースフレームに略垂直に立設された第１の基板と、この第１の基板のスロットに差込接続された第２の基板とを備え、第２の基板の非接続側端部を基板支持部により支持し、この基板支持部をワイヤ封印用ねじにより固定部に固定すると共に、このワイヤ封印用ねじが、互いに異なる方向に貫通し、且つ交差しない、ねじの軸部を径方向に貫通する複数のワイヤ通し孔を備えたねじであって、いずれか一のワイヤ通し孔と他部位に形成した貫通孔にワイヤを挿通し、このワイヤの両端部を封印具により封印したので、ねじ締め時におけるワイヤ封印用ねじの回転角度に関わらず、ワイヤを通しやすい位置にワイヤ通し孔が開口するので、ねじにワイヤを通して封印する作業が極めて容易であり、確実に第２の基板を封印することができる。
【０００７】
本発明において、前記他部位に形成した貫通孔が、別のワイヤ封印用ねじのワイヤ通し孔である構成としてもよい。この場合、複数のワイヤ封印用ねじを一本のワイヤによって容易に且つ確実に封印できる。
【０００８】
本発明は、記録機構部が載置されたベースフレームと、このベースフレームに略垂直に立設された第１の基板と、この第１の基板のスロットに差込接続された第２の基板とを備え、第２の基板の非接続側端部を基板支持部により支持し、この基板支持部をワイヤ封印用ねじにより固定部に固定すると共に、このワイヤ封印用ねじは、ねじの軸部を径方向に貫通するワイヤ通し孔を備え、このねじの頭部を覆うようにキャップを被せ、このキャップの貫通孔と前記ねじのワイヤ通し孔とを整合し挿通させたワイヤの両端を封印具により封印したことを特徴としている。
この構成によれば、記録機構部が載置されたベースフレームと、このベースフレームに略垂直に立設された第１の基板と、この第１の基板のスロットに差込接続された第２の基板とを備え、第２の基板の非接続側端部を基板支持部により支持し、この基板支持部をワイヤ封印用ねじにより固定部に固定すると共に、このワイヤ封印用ねじは、ねじの軸部を径方向に貫通するワイヤ通し孔を備え、このねじの頭部を覆うようにキャップを被せ、このキャップの貫通孔とねじのワイヤ通し孔とを整合し挿通させたワイヤの両端を封印具により封印したので、ねじ締め時におけるワイヤ封印用ねじの回転角度に関わらず、容易にワイヤを通せるので、ねじにワイヤを通して封印する作業が極めて容易であり、且つ確実に第２の基板を封印することができる。また、１本のワイヤ封印用ねじだけを確実に封印できるので、多数のワイヤ封印用ねじを各々独立して封印することも、１本のワイヤ封印用ねじのみを用いて第２の基板を封印することも可能である。
【０００９】
本発明は、記録機構部が載置されたベースフレームと、このベースフレームに略垂直に立設された第１の基板と、この第１の基板のスロットに差込接続された第２の基板とを備え、第２の基板の非接続側端部を基板支持部により支持し、この基板支持部を封印手段により固定部に固定すると共に、この封印手段は、前記基板支持部をねじ止めするワイヤ封印用ねじと、このワイヤ封印用ねじにより前記基板支持部と共に共締めされる台座と、前記台座の内側に嵌合するキャップとを備え、前記台座及び前記キャップに、互いに連通するワイヤ通し孔を形成し、このワイヤ通し孔を挿通させたワイヤの両端を封印具により封印したことを特徴としている。
この構成によれば、記録機構部が載置されたベースフレームと、このベースフレームに略垂直に立設された第１の基板と、この第１の基板のスロットに差込接続された第２の基板とを備え、第２の基板の非接続側端部を基板支持部により支持し、この基板支持部を封印手段により固定部に固定すると共に、この封印手段は、基板支持部をねじ止めするワイヤ封印用ねじと、このワイヤ封印用ねじにより基板支持部と共に共締めされる台座と、台座の内側に嵌合するキャップとを備え、台座及び前記キャップに、互いに連通するワイヤ通し孔を形成し、このワイヤ通し孔を挿通させたワイヤの両端を封印具により封印したので、封印手段において、台座とキャップによりワイヤ封印用ねじが隠され、かつ、キャップが台座に対してワイヤによって固定されるので、確実に第２の基板を封印できる。また、ねじ締め時におけるワイヤ封印用ねじの回転角度に関わらず、互いに連通する台座とキャップのワイヤ通し孔にワイヤを通すことで封印できるので、封印の作業が極めて容易である。さらに、封印される基板支持部と固定部とはワイヤ封印用ねじを締めるための孔を備えていればよいので、様々な構造の記録装置に対して広く適用可能である。
【００１０】
本発明は、記録機構部が載置されたベースフレームと、このベースフレームに略垂直に立設された第１の基板と、この第１の基板のスロットに差込接続された第２の基板とを備え、第２の基板の非接続側端部を基板支持部により支持し、この基板支持部を前記第２の基板を引抜不能に固定部に固定し、この基板支持部を封印手段によって離脱不能に封印することを特徴としている。
この構成によれば、記録機構部が載置されたベースフレームと、このベースフレームに略垂直に立設された第１の基板と、この第１の基板のスロットに差込接続された第２の基板とを備え、第２の基板の非接続側端部を基板支持部により支持し、この基板支持部を前記第２の基板を引抜不能に固定部に固定し、この基板支持部を封印手段によって離脱不能に封印するので、記録装置が備える第２の基板を、容易に且つ確実に封印できる。
【発明の効果】
【００１１】
本発明では、記録装置が備える第２の基板をねじ止めして封印する際に、ねじ締め時におけるねじの回転角度に関わらず容易にワイヤ等を用いて封印することができるので、極めて簡単に且つ確実に第２の基板を封印できる。
【発明を実施するための最良の形態】
【００１２】
［第１の実施形態］
以下、図面を参照して本発明の実施形態について説明する。
図１は、本発明を適用した第１の実施形態に係る記録装置としてのサーマルプリンタ１００の外観斜視図である。サーマルプリンタ１００は、複数の発熱抵抗体が並べて配置されたサーマルヘッド８（図３）により、主にロール状のサーマル紙（感熱紙）である記録媒体（以下、ロール紙とする。）の記録面に対して、文字を含む画像を記録するものである。
サーマルプリンタ１００は、図１に示すように、メインケース１にロール紙カバー２及びカッタカバー３を組み付けて構成される略箱形の外装を有する。メインケース１は、サーマルプリンタ１００の前面下部、左右両側面及び後面を構成する。また、メインケース１は、サーマルプリンタ１００の左右側面から上面に延び、前後方向略中央部における上面の一部を構成する。また、サーマルプリンタ１００は、その前面上部から上面前部にかけてカッタカバー３により覆われ、サーマルプリンタ１００の上面略中央部から後端はロール紙カバー２により覆われる。従って、サーマルプリンタ１００の上面においては、前方から順に、カッタカバー３、メインケース１、ロール紙カバー２が配設されている。
ロール紙カバー２は、サーマルプリンタ１００の上面後端を中心として上方に回りながら開放可能であり、例えば、後述するロール紙ホルダ２６（図２）にロール紙をセットする場合等に開放される。カッタカバー３は、サーマルプリンタ１００の上面における基端部を中心として上方に開放可能に構成され、例えば、後述するオートカッタユニット９（図２）の設定を行う場合等に開放され、通常時（記録動作時等）は閉じられる。
【００１３】
サーマルプリンタ１００の前面において、カッタカバー３の中央には凹部が形成され、この凹部の下端にはコントロールパネル６が配設される。コントロールパネル６は、後述する第１の基板としてのメイン基板１０（図３）上の回路に電気的に接続された各種スイッチ及びインジケータ類を備え、具体的には、ロール紙の送り出しを指示するための紙送りボタン６ａ、サーマルプリンタ１００の動作状態を報知するインジケータ６ｂ等を備える。また、メインケース１の前面下隅部には、サーマルプリンタ１００の電源をＯＮ／ＯＦＦする電源スイッチ５が配置されている。
また、サーマルプリンタ１００の上面において、メインケース１とロール紙カバー２との境界には紙出口１６が形成される。紙出口１６のメインケース１側には切刃を有するマニュアルカッタ４が設けられ、紙出口１６から排出されたロール紙をマニュアルカッタ４の切刃に押し付けて、手で切断できるようになっている。
【００１４】
図２は、記録機構部２０の斜視図である。
図２に示すように、サーマルプリンタ１００が内蔵する記録機構部２０は、左サイドフレーム２１、右サイドフレーム２２、及びベースフレーム２４（固定部）からなる本体フレーム２０ｆを備える。
ベースフレーム２４は、略水平の上板と、この上板の前端部を略直角に下方に折り曲げて構成される前側板２４ｄと、上板の左側端部を略直角に下方に折り曲げて構成される左側板２４ｅと、上板の右側端部を略直角に下方に折り曲げて構成される右側板２４ｆとを有する。前側板２４ｄの隅部には上述した電源スイッチ５が配設され、左側板２４ｅ及び右側板２４ｆには、サーマルプリンタ１００の底面側に突出し、設置面に当接する脚部２８が２個ずつ配置されている。
【００１５】
ベースフレーム２４の上には、左サイドフレーム２１及び右サイドフレーム２２が、記録機構部２０の両端部において互いに対向するように配置され、左サイドフレーム２１と右サイドフレーム２２との間にはフロントフレーム２３が掛け渡されている。
左サイドフレーム２１及び右サイドフレーム２２の前部には、フロント基板カバー１２及びリア基板カバー１３がベースフレーム２４に対して略垂直に立設され、その上にオートカッタユニット９が載置されている。
また、左サイドフレーム２１及び右サイドフレーム２２の後部には、ロール紙を収容するロール紙ホルダ２６が配設される。このロール紙ホルダ２６の上方には、ロール紙カバーフレーム２５が、左サイドフレーム２１及び右サイドフレーム２２にヒンジ２７を介して支持される。このロール紙カバーフレーム２５には上述したロール紙カバー２（図１）が固定され、ヒンジ２７を支点としてロール紙カバーフレーム２５と共に上方に開放可能となっている。
【００１６】
図３は、サーマルプリンタ１００の断面視図である。
図３に示すように、ロール紙ホルダ２６とフロントフレーム２３との間において、ヘッドフレーム８０が左サイドフレーム２１及び右サイドフレーム２２に架け渡され、このヘッドフレーム８０にはサーマルヘッド８が配設される。サーマルヘッド８は、その長手方向（すなわち、ロール紙の幅方向）に直線をなして並ぶ多数の発熱素子（図示略）を備え、ロール紙の記録面に接してロール紙を加熱することにより、文字を含む画像を記録する記録ヘッドである。
また、ロール紙カバーフレーム２５の前端部には、サーマルヘッド８に対向してプラテン７が配設される。プラテン７は搬送モータ（図示略）の動力により回転される丸プラテンであって、その回転動作によりロール紙を搬送する。すなわち、プラテン７は、ロール紙ホルダ２６から引き出されたロール紙の裏面に接して、このロール紙をロール紙ホルダ２６から続けて引き出しつつ、紙出口１６へ向けて図中上方へ押し出すように搬送する。
プラテン７及びサーマルヘッド８の上方に位置するオートカッタユニット９は、可動刃９ａと、この可動刃９ａに対してロール紙の搬送路を挟んで対向する固定刃９ｂとを備え、可動刃９ａを動作させることにより、プラテン７により搬送されたロール紙が可動刃９ａと固定刃９ｂとに挟まれて切断される。
【００１７】
プラテン７及び固定刃９ｂはロール紙カバーフレーム２５の前部に支持されており、ロール紙カバー２の開放時に、ロール紙カバーフレーム２５と共に上後方に移動する。即ち、ロール紙カバー２を開放することにより、サーマルヘッド８及び可動刃９ａと、プラテン７及び固定刃９ｂとが離隔され、後述するようにロール紙をセットすることができる。
【００１８】
オートカッタユニット９の底板の端部は上方に曲げられてガイド９ｃとなっており、プラテン７により搬送されたロール紙を可動刃９ａと固定刃９ｂとの間に案内する。
また、プラテン７の後方に位置するロール紙ホルダ２６には、ロール紙の残量を検出するニアエンド検出器１７が配設され、このニアエンド検出器１７の検出結果に基づいて、インジケータ６ｂによりロール紙の残量が報知される。
【００１９】
ロール紙をサーマルプリンタ１００にセットする手順は以下の通りである。まず、ロール紙カバー２を開き、ロール紙をロール紙ホルダ２６に投入する。続いてロール紙の先端を紙出口１６の上に達するまで引き出し、この状態でロール紙カバー２を綴じる。このとき、ロール紙の先端が自然に可動刃９ａと固定刃９ｂとの間、及び、サーマルヘッド８とプラテン７との間に挟まれ、さらにロール紙カバーフレーム２５によりロール紙の側端部が規制されて、ロール紙のセットが完了する。
そして、記録動作時には、プラテン７によりロール紙が引き出されるとともにサーマルヘッド８によって画像が記録される。このロール紙はプラテン７によって紙出口１６へ向けて搬送され、画像が記録された部分が紙出口１６から外部に搬出されたところで、オートカッタユニット９が動作してロール紙が切断される。
【００２０】
図３に示すように、フロント基板カバー１２及びリア基板カバー１３の間には、メイン基板（第１の基板）１０が縦置きに配設されている。メイン基板１０は、フロント基板カバー１２及びリア基板カバー１３により電磁的にシールドされ、さらに、リア基板カバー１３に固定される。このメイン基板１０は、サーマルプリンタ１００全体を制御する制御基板であり、具体的には、搬送モータ（図示略）を駆動してプラテン７を回転させるとともに、所定の印刷データに基づいてサーマルヘッド８が有する発熱素子（図示略）を発熱させ、ロール紙に対する記録制御を行う。
メイン基板１０の上部にはフラットケーブルコネクタ１０ｆが設けられ、このフラットケーブルコネクタ１０ｆには、サーマルヘッド８に接続されたフラットケーブル１５が差し込まれており、このフラットケーブル１５を介してサーマルヘッド８の発熱素子（図示略）がメイン基板１０に実装された制御回路により制御される。
【００２１】
図４は、記録機構部２０の要部を示す斜視図である。
図４に示すように、上述したフロント基板カバー１２、リア基板カバー１３、及び、メイン基板１０の下部は、ともにベースフレーム２４に設けられたベースフレーム開口部２４ａを貫通して、基板支持部としての底板２９近傍まで延設される。リア基板カバー１３には、ベースフレーム２４よりも下方の位置においてリア基板カバー開口部１３ａが設けられ、このリア基板カバー開口部１３ａと同じ高さ位置において、メイン基板１０にはスロットとしての基板コネクタ１０ｉが配設される。
【００２２】
基板コネクタ１０ｉには第２の基板としてのインタフェース基板１１が接続される。基板コネクタ１０ｉはボードｔｏボードコネクタであり、インタフェース基板１１の先端に形成された端子部を基板コネクタ１０ｉに差し込むことで、インタフェース基板１１に実装されたインタフェース回路とメイン基板１０上の回路とが接続される。インタフェース基板１１のインタフェース回路は、サーマルプリンタ１００をコンピュータやキャッシュドロア等の各種機器に接続するための回路であり、これら各種機器からサーマルプリンタ１００に入力される情報を記憶するためのメモリ等が含まれる。このインタフェース回路には、インタフェース基板１１の後端（非接続側端部）に配設された外部コネクタ３１が接続される。
インタフェース基板１１の後端はリア基板カバー開口部１３ａを貫通してサーマルプリンタ１００の略中央まで延びている。
【００２３】
図５は、サーマルプリンタ１００を底面から見た斜視図である。
サーマルプリンタ１００の底面を構成する底板２９は、サーマルプリンタ１００の前後方向中央において略直角に上方（ベースフレーム２４側）に折り曲げられて後端面２９ａが形成され、この後端面２９ａに底板開口部（図示略）が設けられている。インタフェース基板１１の後端は、底板２９の底板開口部（図示略）から突出する位置まで達し、底板２９の後端面２９ａに取り付けられる基板支持部としてのインタフェース基板カバー３０により覆われる。インタフェース基板カバー３０は、先端面が開口した略箱形に形成され、後端面には開口部が設けられ、この孔からインタフェース基板１１の外部コネクタ３１が露出する構成となっている。外部コネクタ３１の両側部にはねじ孔（図示略）が形成されており、このねじ孔にはインタフェース基板カバー３０の後端面を挟んでボルト３０ａが締め込まれる。これにより、インタフェース基板カバー３０とインタフェース基板１１とが固定される。
また、インタフェース基板カバー３０には、その幅方向に突出するフランジ３０ｂが形成され、このフランジ３０ｂは、底板２９の後端面２９ａに封印ねじ３２（封印用ねじ、ワイヤ封印用ねじ）によってねじ止めされる。さらに、インタフェース基板カバー３０とベースフレーム２４との間には、底板２９をベースフレーム２４に固定するねじ（図示略）が配設される。このねじ（図示略）はインタフェース基板カバー３０の陰に隠れる位置にあり、インタフェース基板カバー３０を底板２９から取り外した状態でなければ着脱できないようになっている。
従って、インタフェース基板カバー３０は、底板２９を介して間接的にベースフレーム２４に固定され、封印ねじ３２を外さない限り、インタフェース基板カバー３０をサーマルプリンタ１００から取り外すことはできず、インタフェース基板１１を取り出すことも不可能である。
【００２４】
図６は、封印ねじ３２の構成を示す斜視図である。
封印ねじ３２の先端はねじ山が形成された先端部３２ｆとなっており、ねじ頭３２ａにはドライバー等の工具により封印ねじ３２を回すためのスリーブ３２ｂが形成される。そして、ねじ頭３２ａと先端部３２ｆとの間は寸胴の軸部３２ｃとなっており、この軸部３２ｃにはワイヤ通し孔３２ｄ、３２ｅが穿設されている。
ワイヤ通し孔３２ｄ、３２ｅは、いずれも、軸部３２ｃの側面を直径方向に沿って貫通する孔である。ワイヤ通し孔３２ｄとワイヤ通し孔３２ｅは異なる方向に延びており、ワイヤ通し孔３２ｄ、３２ｅを封印ねじ３２の軸に垂直な平面に投影した正射影が重ならない。ここで、正射影が略直角をなすようであれば、好ましい。さらに、ワイヤ通し孔３２ｄとワイヤ通し孔３２ｅは、互いに交わらないように、封印ねじ３２の軸方向に沿って異なる位置に穿設されている。
【００２５】
そして、図５に示すように、封印ねじ３２によってインタフェース基板カバー３０のフランジ３０ｂが固定された状態で、２個の封印ねじ３２にワイヤ３３が架け渡される。各封印ねじ３２において、ワイヤ３３は、ワイヤ通し孔３２ｄ、３２ｅ（図６）のいずれかを貫通する。そして、ワイヤ３３の両端部が一つに束ねられてワイヤ３３の輪が形成された状態で、ワイヤ３３の両端部に封印具３４が取り付けられる。封印具３４は、金属、合成樹脂或いは紙により構成され、ワイヤ３３を束ねた状態を保持するものであり、例えば、２枚の板によりワイヤ３３を挟み込む形状を有する。封印具３４は不可逆的な封止構造、すなわち、いったんワイヤ３３を束ねた後は取り外すことができない構造を有するものであり、比較的小さな力によって容易に破損し、且つ、破損時の修復ができないか、修復が極めて困難である。
【００２６】
上述のように、サーマルプリンタ１００が備えるインタフェース基板１１は、底板２９及びインタフェース基板カバー３０により覆われており、外部コネクタ３１を介してインタフェース基板カバー３０に固定される。このインタフェース基板１１を取り出すには、インタフェース基板カバー３０を取り外して、基板コネクタ１０ｉからインタフェース基板１１を引き抜けばよい。しかしながら、インタフェース基板カバー３０を底板２９に固定する封印ねじ３２には、ワイヤ３３が架けられており、ワイヤ３３の両端は封印具３４により束ねられて封印されている。封印具３４は取り外しができない構造を有しており、無理に外そうとすれば比較的容易に破損してしまい、修復は不可能である。このため、インタフェース基板１１を取り出そうとして封印ねじ３２を強引に回すと、ワイヤ３３又は封印具３４が破損し、修復不可能となる。従って、封印具３４による封印が施されたサーマルプリンタ１００から、何ら痕跡を残さずインタフェース基板１１を取り出すことは不可能である。
【００２７】
そして、封印具３４によってサーマルプリンタ１００を封印する場合、封印ねじ３２にワイヤ３３を架け渡して封印具３４により封印する。封印ねじ３２にワイヤ３３を架け渡す際には、封印ねじ３２に穿設されたワイヤ通し孔３２ｄ、３２ｅのいずれかにワイヤ３３を通す作業が必要になるが、ワイヤ通し孔３２ｄ、３２ｅは平行でないため、いずれか一方はワイヤ３３を通しやすい位置に開口している。従って、ワイヤ３３をワイヤ通し孔３２ｄ、３３ｅに通す作業は非常に容易である。
また、ワイヤ通し孔３２ｄ、３２ｅは交差しないので、その内周面はバリ等が無く滑らかであるから、ワイヤ３３をスムーズに通すことができ、ワイヤ３３が傷むこともない。
【００２８】
なお、この第１の実施形態においては、２個の封印ねじ３２にワイヤ３３を架け渡す構成としたが、例えば、１個の封印ねじ３２を１本のワイヤ３３により封印することも可能である。この場合、封印ねじ３２が配設された箇所の近傍、例えば、底板２９の後端面２９ａや、インタフェース基板カバー３０の側面等にワイヤ３３よりも強いリングを設けて、このリングと、封印ねじ３２のワイヤ通し孔３２ｄ又はワイヤ通し孔３２ｅにワイヤ３３を通し、ワイヤ３３の両端を封印具３４によって束ねて封印すればよい。この場合、２個の封印ねじ３２を各々独立して封印することができる。
【００２９】
［第２の実施形態］
図７は、本発明を適用した第２の実施形態における封印ねじ３２の構成を示す斜視図であり、図８は分解斜視図である。
この第２の実施形態では、封印ねじ３２にキャップ３５を被せ、ワイヤ３３及び封印具３４により封印した場合を示す。図７及び図８に示すように、キャップ３５は、一端が開口した円筒形状を有し、封印ねじ３２に被せた状態で封印ねじ３２のねじ頭３２ａ及び軸部３２ｃを覆うものである。キャップ３５の側面には少なくとも２個、望ましくは４個以上のワイヤ通し孔３５ａ（貫通孔）が穿設されている。ここで、ワイヤ通し孔３５ａの位置は、封印ねじ３２が有するワイヤ通し孔３２ｄ、３２ｅの４個の開口部に対応した位置となっている。
【００３０】
キャップ３５を用いる場合の封印の方法は次の通りである。インタフェース基板カバー３０（基板支持部）を封印ねじ３２（ワイヤ封印用ねじ）によって底板２９の後端面２９ａ（固定部）に固定した状態で、封印ねじ３２にキャップ３５を被せる。そして、キャップ３５を回転させながら、キャップ３５のワイヤ通し孔３５ａと、封印ねじ３２のワイヤ通し孔３２ｄ若しくはワイヤ通し孔３２ｅとを整合させてワイヤ３３を通し、ワイヤ３３の両端部を束ねて、封印具３４を取り付ける。なお、図７には１個の封印ねじ３２を１個のワイヤ３３により封印した例を示したが、インタフェース基板カバー３０を複数の封印ねじ３２によって固定する場合、これら複数の封印ねじ３２に跨るようにワイヤ３３を架け渡して封印具３４により封印してもよい。
【００３１】
このように封印ねじ３２にキャップ３５を被せて封印を施した場合、ねじ頭３２ａのスリーブ３２ｂが露出しないため、封印ねじ３２を回して取り外すことができず、確実な封印が可能となる。また、封印ねじ３２の周囲にリング等を設けることなく、１個の封印ねじ３２を１本のワイヤ３３によって封印することができるので、封印ねじ３２が配設された場所を選ばず、複数の封印ねじ３２を各々独立して封印することや、サーマルプリンタ１００において封印ねじ３２を１本のみ使用して封印を施すこと等が可能となる。
【００３２】
［第３の実施形態］
図９は、本発明を適用した第３の実施形態における封印部の構成を示す分解斜視図である。
本第３の実施形態では、インタフェース基板カバー３０を用いることなく、底板２９の後端面２９ａに設けられた孔からインタフェース基板１１の外部コネクタ３１のみが露出する場合について説明する。ここで、後端面２９ａの孔はインタフェース基板１１の幅より小さく構成され、インタフェース基板１１の外部コネクタ３１を除く部分は露出しない。
この第３の実施形態においては、底板２９（基板支持部）の後端がベースフレーム２４の裏面（固定部）に重なる平面に形成され、この平面とベースフレーム２４とが連結固定され、封印部４０により封印される。
【００３３】
底板２９とベースフレーム２４とが重なり合う部分には、底板２９にねじ孔４２が穿設され、このねじ孔４２の下においてはベースフレーム２４にねじ受け（図示略）が形成されている。このねじ孔４２の上に配設される封印部４０は、ベースフレーム２４の裏面に重なる底板２９の上に載る台座４３と、この台座４３を底板２９及びベースフレーム２４とともに共締めするねじ４４（ワイヤ封印用ねじ）と、ねじ４４の上に被さるキャップ４５とを備える。
台座４３は、円形の側壁を有する筒状部材であり、上面が開口し、底面にはねじ４４を通すねじ孔が形成される。台座４３の側壁はねじ４４のねじ頭を完全に収容可能な高さを有し、その上端には、凹欠部４３ａとワイヤ通し孔４３ｂとが形成される。さらに、台座４３に当接する底板２９の表面には回り止め突起４１が形成され、台座４３の裏面には回り止め突起４１に対応して凹部（図示略）が形成される。この凹部（図示略）に回り止め突起４１が嵌合することにより、台座４３と底板２９とが滑らないので、後述するようにねじ４４を締め込む際に台座４３の空回りを防止できる。
【００３４】
ねじ４４は、台座４３及び底板２９に形成されたねじ孔を貫通してベースフレーム２４のねじ受けに締め込まれる。
キャップ４５は、台座４３の側壁の内側に勘合する略円盤状部材であり、側方に突出する突起４５ａを備える。この突起４５ａは、台座４３の側壁上端に形成された凹欠部４３ａに嵌め込まれる。また、キャップ４５には、その側端面に開口して内部を径方向に貫通するワイヤ通し孔４５ｂが形成される。このワイヤ通し孔４５ｂの開口端は、キャップ４５が台座４３に嵌合した状態で、台座４３のワイヤ通し孔４３ｂに連通する。
【００３５】
このように、ベースフレーム２４に底板２９及び台座４３を重ねてねじ４４を締め込むことで、底板２９とベースフレーム２４とが連結固定され、さらにキャップ４５を台座４３に被せて、ワイヤ３３をワイヤ通し孔４３ｂとワイヤ通し孔４５ｂとに挿通させることにより、ねじ４４を外すことができなくなる。そして、ワイヤ３３を封印具３４によって封印すれば、底板２９が離脱不能に封印され、インタフェース基板１１を取り出すことができなくなる。
【００３６】
以上、第１〜第３の実施形態に基づいて本発明を説明したが、本発明はこれに限定されるものではない。例えば、上記構成においては、封印ねじ３２の軸部３２ｃにはワイヤ通し孔３２ｄ、３２ｅの２個の貫通孔が穿設された構成としたが、３以上の貫通孔を軸部３２ｃに設けてもよい。この場合、３以上の貫通孔は、互いに異なる方向に延び、且つ交差しないことが望ましい。また、上記構成においては封印ねじ３２の軸部３２ｃとねじ頭３２ａとの径が略等しい例を図示したが、本発明はこれに限定されるものではなく、例えばねじ頭３２ａをより大きなサイズとしてもよいし、軸部３２ｃと先端部３２ｆとの間にテーパーを有する軸部（ねじ山が形成されていない部分）を設けてもよく、軸部３２ｃの長さについても特に制限はない。
また、上記構成においては、インタフェース基板カバー３０を２個の封印ねじ３２によって固定し、これら２個の封印ねじ３２に１本のワイヤ３３を架け渡す構成としたが、本発明はこれに限定されるものではなく、例えば、インタフェース基板カバー３０を３個以上の封印ねじ３２により固定してもよく、この場合、各々の封印ねじ３２を各１本のワイヤ３３により封印してもよいし、全ての封印ねじ３２を１本のワイヤ３３により封印してもよい。さらに、インタフェース基板カバー３０を固定するねじのうち１個のみに封印ねじ３２を用い、その他は通常のねじを用いてもよく、この場合は１個の封印ねじ３２に１本のワイヤ３３を通して封印すればよい。さらに、上記構成においては封印具３４によりワイヤ３３の端部を束ねて封印するものとしたが、例えば、ワイヤ３３の両端を各々封印用の紙片等によって底板２９、インタフェース基板カバー３０、ベースフレーム２４或いはメインケース１の各部に貼り付けることも可能であり、これら各部にリングを設けてこのリングにワイヤ３３を架け渡すようにしてもよい。また、第３の実施形態ではキャップ４５と台座４３とに跨って封印用の紙等を貼り付けてもよい。この場合も、開封した後の修復が極めて困難なことから、封印としての機能が十分に果たされる。
また、上記実施形態では、記録装置としてサーマルプリンタを例示したが、これに限らず、例えば、ドットインパクト方式やインクジェット方式のプリンタであってもよい。さらには、複写機やファクシミリ等の電子写真方式により画像を記録する記録装置に適用することも可能である。
【図面の簡単な説明】
【００３７】
【図１】第１の実施形態におけるサーマルプリンタの正面斜視図である。
【図２】記録機構部の斜視図である。
【図３】サーマルプリンタの断面視図である。
【図４】基板近傍の背面斜視図である。
【図５】サーマルプリンタの底面斜視図である。
【図６】封印ねじの斜視図である。
【図７】第２の実施形態における封印ねじの構成を示す斜視図である。
【図８】封印ねじの構成を示す分解斜視図である。
【図９】第３の実施形態における封印部の分解斜視図である。
【符号の説明】
【００３８】
１…メインケース、７…プラテン、８…サーマルヘッド、１０…メイン基板（第１の基板）、１０ｉ…基板コネクタ（スロット）、１１…インタフェース基板（第２の基板）、１２…フロント基板カバー、１３…リア基板カバー、１６…紙出口、２０…記録機構部、２４…ベースフレーム（固定部）、２９…底板（基板支持部）、２９ａ…後端面（固定部）、３０…インタフェース基板カバー（基板支持部）、３０ａ…ボルト、３０ｂ…フランジ、３１…外部コネクタ、３２…封印ねじ（封印用ねじ、ワイヤ封印用ねじ）、３２ａ…ねじ頭、３２ｃ…軸部、３２ｄ、３２ｅ…ワイヤ通し孔、３２ｆ…先端部、３３…ワイヤ、３４…封印具、３５…キャップ、３５ａ…ワイヤ通し孔（貫通孔）、４０…封印部、４１…回り止め突起、４２…ねじ孔、４３…台座、４３ａ…凹欠部、４３ｂ…ワイヤ通し孔、４４…ねじ（ワイヤ封印用ねじ）、４５…キャップ、４５ａ…突起、４５ｂ…ワイヤ通し孔、１００…サーマルプリンタ（記録装置）。
【図１】
2007024291.tif 000003
【図２】
2007024291.tif 000004
【図３】
2007024291.tif 000005
【図４】
2007024291.tif 000006
【図５】
2007024291.tif 000007
【図６】
2007024291.tif 000008
【図７】
2007024291.tif 000009
【図８】
2007024291.tif 000010
【図９】
2007024291.tif 000011